(57)【要約】【課題】消雪ブロックを横移動させることなく設置可能であると共に散水路の接続も容易に可能であり、また施工完了後に、隣接する消雪ブロックの端部の破壊を伴うことなく消雪ブロックや止水用弾性材を交換可能となる消雪ブロックの連結構造を提供すること。【解決手段】散水路１同士の接続に、突き合せ面３より外方へ突設する接続管を用いることなく、縦列状態とする一方の消雪ブロック２に対して他方の消雪ブロック２を降下載置した際に、一方の消雪ブロック２と他方の消雪ブロック２の突き合せ面３同士を突き合せ状態に位置決め保持する位置決めプレート４を設け、この位置決めプレート４により突き合せ状態に保持された各消雪ブロック２の突き合せ面３間に、各散水路１の端部１Ａを囲繞するように止水用弾性材５を配設固定して、各散水路１同士を止水状態に接続する。【選択図】図２
2009270331.tif 000002
【特許請求の範囲】
【請求項１】
散水路を有する消雪ブロックの両端の突き合せ面同士を突き合せて複数の消雪ブロックを縦列状態に連結することで、この突き合せ面に臨設する前記各散水路の端部同士が合致して各散水路が連通接続する消雪ブロックの連結構造であって、前記各散水路同士の接続に、前記突き合せ面より外方へ突設する接続管を用いることなく、縦列状態とする一方の消雪ブロックに対して他方の消雪ブロックを降下載置した際に、一方の消雪ブロックの底部と他方の消雪ブロックの底部の間に掛け渡し状態に敷設されて一方の消雪ブロックと他方の消雪ブロックの突き合せ面同士を突き合せ状態に位置決め保持する位置決めプレートを設けると共に、この位置決めプレートにより突き合せ状態に保持された各消雪ブロックの突き合せ面間に、前記各散水路の端部を囲繞するように止水用弾性材を配設固定して、各散水路同士を止水状態に接続する構造としたことを特徴とする消雪ブロックの連結構造。
【請求項２】
前記消雪ブロックは、送水管を埋設せずに前記散水路を具備する形状にコンクリートで一体成形したものを採用したことを特徴とする請求項１記載の消雪ブロックの連結構造。
【請求項３】
前記位置決めプレートは、一方の消雪ブロックに対して他方の消雪ブロックを降下載置した際に、この他方の消雪ブロックの底部に凹凸係合して他方の消雪ブロックを位置決め保持する構成としたことを特徴とする請求項１，２のいずれか１項に記載の消雪ブロックの連結構造。
【請求項４】
前記位置決めプレートの凹凸係合面に、他方の消雪ブロックが降下するにしたがってこの他方の消雪ブロックの突き合せ面を一方の消雪ブロックの突き合せ面に対して接近する方向に誘導案内するテーパ面状の案内面部を設けたことを特徴とする請求項３記載の消雪ブロックの連結構造。
【請求項５】
前記位置決めプレートの両端部に立ち上がり部を設けて、この各立ち上がり部間に前記消雪ブロックを降下載置することで、各立ち上がり部により消雪ブロックの位置ズレを防止する構成としたことを特徴とする請求項１〜４のいずれか１項に記載の消雪ブロックの連結構造。
【請求項６】
前記止水用弾性材は、前記散水路の端部より径大なリング状に構成したことを特徴とする請求項１〜５のいずれか１項に記載の消雪ブロックの連結構造。
【請求項７】
空気を注入することで膨張する構成の前記止水用弾性材を採用し、この止水用弾性材を、前記位置決めプレートにより突き合せ状態で位置決め保持された各消雪ブロックの突き合せ面間に、前記各散水路の端部を囲繞するようにして配設すると共に、空気を注入して膨張させることでこの止水用弾性材を各突き合せ面に圧接せしめて、この止水用弾性材により各散水路の端部間を止水状態とする構成としたことを特徴とする請求項１〜６のいずれか１項に記載の消雪ブロックの連結構造。
【発明の詳細な説明】
【技術分野】
【０００１】
本発明は、消雪用散水ノズルを備えた消雪ブロックの連結構造に関するものである。
【背景技術】
【０００２】
この種消雪ブロックの連結構造としては、図１６に示すように散水ノズルに水などを供給する散水管20を具備した消雪ブロック21の両端の突き合せ面22の一方に、散水管20の一側端部を延長突出させて挿入筒部23を形成し、他方に、この挿入筒部23を挿入接続可能な接続筒部24を形成した構成として、複数の消雪ブロック21を縦列した上でこの挿入筒部23と接続筒部24とをオス・メス接続して連結する構造（例えば、特許文献１参照。）や、図１７に示すように複数縦列した消雪ブロック21の両端の突き合せ面22間に別部品のジョイント管25を架設状態に挿入取付することで各散水管20同士を接続して連結する構造（例えば、特許文献２参照。）が知られている。
【０００３】
【特許文献１】実用新案登録第３０６１５５９号公報
【特許文献２】特開２０００−１４４６６５号公報
【発明の開示】
【発明が解決しようとする課題】
【０００４】
上記のようなオス・メス接続構造やジョイント管25を用いる接続構造は、いずれも、一方の消雪ブロック21に対して他方の消雪ブロック21を横移動させて挿入筒部23若しくはジョイント管25を挿入接続する（図１６，図１７参照。）。
【０００５】
しかしながら、この接続作業は、先に据え付けた一方の消雪ブロック21に対して他方の消雪ブロック21をできるだけ水平にして横移動させながら管（筒）同士の位置合せと挿入接続とを行うのであるが、この際、一方の消雪ブロック21に対して他方の消雪ブロック21を水平にしすぎるとブロック底面を設置面に引きずってしまうし、かといって他方の消雪ブロック21を傾かせすぎると管同士が接続しづらかったり管が損傷してしまったりする場合があるため、慎重を要する非常に厄介な作業であった。
【０００６】
また、この連結構造をもって完成した消雪設備は、縦列状態に設置した各消雪ブロック21を横移動させて挿入筒部23若しくはジョイント管25を接続解除することが不可能となるために、破損した或いは経年劣化した消雪ブロック21を部分的に交換・修復する必要が生じた場合には、交換対象の消雪ブロック21の両端部とこれに隣接する消雪ブロック21の端部との境目を接続した管ごとコンクリートカッターで切断して交換対象の消雪ブロック21を吊り上げ撤去した後、撤去した消雪ブロック21の両側に隣接する消雪ブロック21の端部を解体して散水管20を露出させ、次いで、この露出した各散水管20間に新設管材を連結してその周囲にコンクリートを打設したり、あるいは露出した各散水管20間に新しい消雪ブロックを据え付けて散水管20を接続すると共に隣接する消雪ブロック21端部の解体部をコンクリート打設して補修したりするような大掛かりなメンテナンス工事を要するものであった。
【０００７】
本発明は、このような従来の消雪ブロックの連結構造の問題点を見出し、これを解決しようとするためのもので、消雪ブロックを横移動させることなく容易に設置可能であると共に散水路の接続も容易に可能であり、また破損或いは劣化した消雪ブロックや止水用弾性材の交換に際して、隣接する消雪ブロックの端部の解体を伴わずに容易に交換可能となる画期的な消雪ブロックの連結構造を提供するものである。
【課題を解決するための手段】
【０００８】
添付図面を参照して本発明の要旨を説明する。
【０００９】
散水路１を有する消雪ブロック２の両端の突き合せ面３同士を突き合せて複数の消雪ブロック２を縦列状態に連結することで、この突き合せ面３に臨設する前記各散水路１の端部１Ａ同士が合致して各散水路１が連通接続する消雪ブロックの連結構造であって、前記各散水路１同士の接続に、前記突き合せ面３より外方へ突設する接続管を用いることなく、縦列状態とする一方の消雪ブロック２に対して他方の消雪ブロック２を降下載置した際に、一方の消雪ブロック２の底部と他方の消雪ブロック２の底部の間に掛け渡し状態に敷設されて一方の消雪ブロック２と他方の消雪ブロック２の突き合せ面３同士を突き合せ状態に位置決め保持する位置決めプレート４を設けると共に、この位置決めプレート４により突き合せ状態に保持された各消雪ブロック２の突き合せ面３間に、前記各散水路１の端部１Ａを囲繞するように止水用弾性材５を配設固定して、各散水路１同士を止水状態に接続する構造としたことを特徴とする消雪ブロックの連結構造に係るものである。
【００１０】
また、前記消雪ブロック２は、送水管を埋設せずに前記散水路１を具備する形状にコンクリートで一体成形したものを採用したことを特徴とする請求項１記載の消雪ブロックの連結構造に係るものである。
【００１１】
また、前記位置決めプレート４は、一方の消雪ブロック２に対して他方の消雪ブロック２を降下載置した際に、この他方の消雪ブロック２の底部に凹凸係合して他方の消雪ブロック２を位置決め保持する構成としたことを特徴とする請求項１，２のいずれか１項に記載の消雪ブロックの連結構造に係るものである。
【００１２】
また、前記位置決めプレート４の凹凸係合面に、他方の消雪ブロック２が降下するにしたがってこの他方の消雪ブロック２の突き合せ面３を一方の消雪ブロック２の突き合せ面３に対して接近する方向に誘導案内するテーパ面状の案内面部６を設けたことを特徴とする請求項３記載の消雪ブロックの連結構造に係るものである。
【００１３】
また、前記位置決めプレート４の両端部に立ち上がり部４Ａを設けて、この各立ち上がり部４Ａ間に前記消雪ブロック２を降下載置することで、各立ち上がり部４Ａにより消雪ブロック２の位置ズレを防止する構成としたことを特徴とする請求項１〜４のいずれか１項に記載の消雪ブロックの連結構造に係るものである。
【００１４】
また、前記止水用弾性材５は、前記散水路１の端部１Ａより径大なリング状に構成したことを特徴とする請求項１〜５のいずれか１項に記載の消雪ブロックの連結構造に係るものである。
【００１５】
また、空気を注入することで膨張する構成の前記止水用弾性材５を採用し、この止水用弾性材５を、前記位置決めプレート４により突き合せ状態で位置決め保持された各消雪ブロック２の突き合せ面３間に、前記各散水路１の端部１Ａを囲繞するようにして配設すると共に、空気を注入して膨張させることでこの止水用弾性材５を各突き合せ面３に圧接せしめて、この止水用弾性材５により各散水路１の端部１Ａ間を止水状態とする構成としたことを特徴とする請求項１〜６のいずれか１項に記載の消雪ブロックの連結構造に係るものである。
【発明の効果】
【００１６】
本発明は上述のように構成したから、単に一方の消雪ブロックに対し他方の消雪ブロックを降下載置するだけで位置決めプレートにより消雪ブロック同士の突き合せ面が突き合せ状態に位置決め保持されるために、縦列状態とする一方の消雪ブロックに対して他方の消雪ブロックを横移動することなく設置可能で、この消雪ブロックの設置作業が著しく容易に行われることになり、しかも、位置決めプレートにより突き合せ状態に保持された各消雪ブロックの突き合せ面間に、各散水路の端部を囲繞するように止水用弾性材を配設固定して、各散水路同士を止水状態に接続する構造としたから、この止水構造は簡易に施工可能な構成であると共に、各散水路同士を精度良く位置合せせずともこの止水用弾性材により各散水路間が止水状態に維持されて接続されるので、散水路同士の接続作業も容易に可能となり、その上、消雪設備完成後に破損或いは劣化した消雪ブロックを交換する必要性が生じた場合には、管の切断や隣接する消雪ブロック端部の解体などを伴うことなく交換対象の消雪ブロックだけを上昇移動させて撤去可能となるため、従来構造のような大掛かりな工事を要することなく容易に交換可能となり、同様にして破損或いは劣化した止水用弾性材も容易に交換可能であるのでメンテナンス性が著しく向上することになるなど、極めて実用性に秀れた画期的な消雪ブロックの連結構造となる。
【００１７】
また、請求項２記載の発明においては、突き合せ面より外方へ接続管が突設しない構成の消雪ブロックを簡易に設計実現可能であると共に、この消雪ブロックは、一般的な消雪ブロックに比して送水管を埋設しない分コストを削減できることになるなど、一層実用性に秀れた消雪ブロックの連結構造となる。
【００１８】
また、請求項３記載の発明においては、消雪ブロックの位置決め作用を確実に発揮する位置決めプレートを簡易構成により容易に設計実現可能となる一層実用性に秀れた消雪ブロックの連結構造となる。
【００１９】
また、請求項４記載の発明においては、据付に際して多少ラフな位置に消雪ブロックを降下させても、位置決めプレートの凹凸係合面の案内面部により他方の消雪ブロックが降下するにしたがってこの他方の消雪ブロックの突き合せ面が一方の消雪ブロックの突き合せ面に対して接近する方向に誘導案内されるので、一層設置作業が簡易に行われる極めて実用性に秀れた消雪ブロックの連結構造となる。
【００２０】
また、請求項５記載の発明においては、消雪ブロックの位置ズレが良好に防止される秀れた消雪ブロックの連結構造となり、更にこの発明と前記請求項３記載の発明とを併用することで、一層秀れた消雪ブロックの位置決め作用が得られることになる。
【００２１】
また、請求項６記載の発明においては、散水路の端部より径大なリング状の止水用弾性材により確実に散水路同士を止水状態に接続できる一層実用性に秀れた消雪ブロックの連結構造となる。
【００２２】
また、請求項７記載の発明においては、突き合せ状態で位置決め保持された各消雪ブロックの突き合せ面間に、止水用弾性材を簡易に配設固定可能となる極めて施工性に秀れた消雪ブロックの連結構造となる。
【発明を実施するための最良の形態】
【００２３】
好適と考える本発明の実施形態（発明をどのように実施するか）を、図面に基づいて本発明の作用を示して簡単に説明する。
【００２４】
例えば、道路などに設けた長溝内に、消雪ブロック２を複数縦列状態に並べて各消雪ブロック２両端の突き合せ面３同士を突き合せることで、この各突き合せ面３に臨設する各散水路１の端部１Ａ同士を合致させて各散水路１を連通接続する。
【００２５】
更に具体的には、本発明では、前記各散水路１同士の接続に、前記突き合せ面３より外方へ突設する接続管を用いることなく、縦列状態とする一方の消雪ブロック２に対して他方の消雪ブロック２を降下載置し、この際、一方の消雪ブロック２の底部と他方の消雪ブロック２の底部の間に掛け渡し状態に敷設した位置決めプレート４により一方の消雪ブロック２と他方の消雪ブロック２の突き合せ面３同士を突き合せ状態に位置決め保持すると共に、この位置決めプレート４により突き合せ状態に保持された各消雪ブロック２の突き合せ面３間に、前記各散水路１の端部１Ａを囲繞するように止水用弾性材５を配設固定して各散水路１同士を止水状態に接続する構造とする。
【００２６】
従って、例えば、予め位置決めプレート４を敷設しておいて、この位置決めプレート４上に一方の消雪ブロック２を載置し、続いて他方の消雪ブロック２を設置位置にその略真上方向からクレーンなどを利用して降下載置させるだけで縦列する消雪ブロック２同士の突き合せ面３が突き合せ状態に位置決め保持されるので、この消雪ブロック２の設置作業が極めて容易に行われることになる。
【００２７】
また、位置決めプレート４上には、消雪ブロック２を載置し易い上に安定的に載置でき、しかも、位置決めプレート４によって消雪ブロック２の据付位置が大きく底上げされるようなこともないため、この位置決めプレート４を設置場所と消雪ブロック２の間に敷設する構成でありながら、消雪ブロック２の設置作業が容易に行われて作業性に秀れる。
【００２８】
また、散水路１同士の止水構造（接続構造）についても、突き合せ状態に保持された各消雪ブロック２の突き合せ面３間に、前記各散水路１の端部１Ａを囲繞するように止水用弾性材５を配設固定するだけの構造であるから、簡易に施工可能な構造であると共に、消雪ブロック２を横移動させて管（筒）同士を挿入接続する場合のような高い位置合せ精度も不要で、この散水路１同士の接続作業が極めて容易に行われることとなる。
【００２９】
また、消雪設備完成後に破損或いは劣化した消雪ブロック２を交換する必要性が生じた場合にも、管の切断や隣接する消雪ブロック２端部の解体などを伴うことなくクレーンなどを利用して上昇移動させることだけで撤去可能であるし、この撤去スペースに設置する新たな消雪ブロック２も横移動を伴うことなく降下載置させて設置可能であるため、例えば新たな止水用弾性材５と共に容易に交換可能である。
【００３０】
また、同様にして、破損或いは劣化した止水用弾性材５についても容易に交換可能である。
【００３１】
また、例えば、前記位置決めプレート４は、一方の消雪ブロック２に対して他方の消雪ブロック２を降下載置した際に、この他方の消雪ブロック２の底部に凹凸係合して他方の消雪ブロック２を位置決め保持する構成とすれば、凹凸係合により確実に消雪ブロック２を位置決め可能であると共に、この位置決めプレート４と消雪ブロック２の凹凸係合構造は簡易な構造であるため容易に設計実現可能である。
【００３２】
更に、例えば、前記位置決めプレート４の凹凸係合面に、他方の消雪ブロック２が降下するにしたがってこの他方の消雪ブロック２の突き合せ面３を一方の消雪ブロック２の突き合せ面３に対して接近する方向に案内移動させて夫々の突き合せ面３同士を突き合せ状態とし得るテーパ面状の案内面部６を設ければ、据付に際して多少ラフな位置に消雪ブロック２を降下させても、位置決めプレート４との凹凸係合により適正な据付位置に誘導案内されるので、一層設置作業性に秀れることになる。
【実施例１】
【００３３】
本発明の具体的な実施例１について図１〜図７に基づいて説明する。
【００３４】
本実施例は、図１，図２に示すように、消雪ブロック２と、複数の消雪ブロック２の突き合せ面３同士を突き合せ状態に位置決め保持する位置決めプレート４と、この位置決めプレート４によって突き合せ状態に保持された各消雪ブロック２の突き合せ面３間に配設固定する止水用弾性材５とを用いた消雪ブロック２の連結構造に係るものである。
【００３５】
具体的には、本実施例の消雪ブロック２は、図１〜図３に示すようなコンクリート製の細長い角形体であって、その上面には長手方向に間隔を置いて散水ノズル７を複数並設状態に具備し、長手方向の両端部には鉛直面状の前記突き合せ面３を具備している。
【００３６】
また、この消雪ブロック２は、前記各散水ノズル７に地下水などを供給するための散水路１をこの消雪ブロック２の長手方向に沿って埋設状態に設けて、この散水路１の両端部１Ａが前記各突き合せ面３に臨設（開口）する構成としているが、この散水路１は管などを消雪ブロック２内に埋め込んで形成するのではなく、本実施例では、散水路１を有する形状にコンクリートで一体成形した消雪ブロック２を採用している。
【００３７】
また、この消雪ブロック２は、図３に示すように両端部の底部（底面）に後述の位置決めプレート４が凹凸係合する係合凹部９を一体的に凹設すると共に、両端の各突き合せ面３には、図１に示すように前記散水路１の端部１Ａの周囲をこの散水路１の中心（軸心）と同心形状であって散水路１より径大な多角形（図面では六角形）状に凹設して、この凹設部を後述の止水用弾性材５が収容される収容凹部10としている。
【００３８】
本実施例の位置決めプレート４は、金属製の方形薄板材で構成して、一方の消雪ブロック２の底部と他方の消雪ブロック２の底部の間に掛け渡し状態に敷設される構成としている。即ち、この位置決めプレート４を構成する方形状板材の板面上に、二体の消雪ブロック２の端部底面を前記突き合せ面３を付き合せた状態で載置し得るように構成している。
【００３９】
また、この位置決めプレート４と、消雪ブロック２の端部との位置決め構造は、図１，図２に示すように位置決めプレート４の対向二辺部を略直角上方へ短めに折曲して断面コ字板状とし、この対向二辺の立ち上がり部４Ａが、載置した消雪ブロック２の下部左右両側部に沿設して消雪ブロック２の長さ方向と直交する方向への位置ズレを防止するガイド部４Ａとして機能する構成としている。
【００４０】
更に、位置決めプレート４の上面の両側部に係合凸部８を突設し、この係合凸部８に、消雪ブロック２の底面に設けた前記係合凹部９を凹凸係合して位置決めプレート４上に消雪ブロック２の端部を載置することで、位置決めプレート４に対し消雪ブロック２が位置決め保持される構造としている。
【００４１】
また、この位置決めプレート４上に二体の消雪ブロック２の端部を突き合せ状態に載置して夫々の係合凹部９を各係合凸部８に凹凸係合した際、図５，図６に示すように、この二体の消雪ブロック２が各々の突き合せ面３間に１０ｍｍ程の隙間を生じた近接状態で位置決め保持されるように、位置決めプレート４上に設ける係合凸部８の位置と消雪ブロック２端部の底部に設ける係合凹部９の位置とのいずれか一方若しくは双方を設定構成している。
【００４２】
また、この位置決めプレート４の係合凸部８に、一方の消雪ブロック２に対して他方の消雪ブロック２を降下載置する際に、他方の消雪ブロック２が降下するにしたがってこの他方の消雪ブロック２の突き合せ面３を一方の消雪ブロック２の突き合せ面３に対して接近する方向に誘導案内するテーパ面状の案内面部６を設けている。
【００４３】
具体的には、図１，図２，図６に示すように位置決めプレート４の一側の係合凸部８は平面視略正円形状に形成し、他側の係合凸部８は平面視長円形状に形成し、この他側の係合凸部８にだけ前記案内面部６を設けている。
【００４４】
更に詳しくは、図４に示すように長円形状を呈する他側の係合凸部８の、一側の係合凸部８との対向側面を後傾斜するテーパ面に形成してこのテーパ面を前記案内面部６としている。尚、案内面部６を有する係合凸部８と案内面部６のない係合凸部８の形状を異ならせたのは、現場作業者が位置決めプレート４をどの向きで載置すべきかを簡単に確認できるようにするためである。
【００４５】
一方、消雪ブロック２の両端部の底部に設ける前記係合凹部９も、一側の係合凹部９は平断面略円形状の凹部に形成し、他側の係合凹部９は平断面長円形状の凹部に形成し、この他側の係合凹部９は、一側の係合凹部９との対向側面を後傾斜するテーパ面に形成してこのテーパ面が前記他側の係合凸部８の案内面部６に係合する構成としている。
【００４６】
また、この他側の係合凹部９の大きさを、他側の係合凸部８よりやや大きく設定して、この他側の係合凹部９と他側の係合凸部８とが凹凸係合した際に隙間を生じるように構成し、これにより凹凸係合時でも他方の消雪ブロック２を若干移動可能として、据付位置の微調整を行えるようにしている。
【００４７】
即ち、本実施例では、案内面部６の誘導によって消雪ブロック２が完全に正しい据付位置に是正されるような構成ではなく、最終的な据付位置調整を要する構成である。
【００４８】
このように他側の係合凹部９と他側の係合凸部８とが隙間を生じて係合し、且つ案内面部６が消雪ブロック２を正しい据付位置まで誘導しない構成としたことで、例えば、施工完了後に不具合を生じた消雪ブロック２を交換する場合に、交換対象の消雪ブロック２をクレーンなどを利用して略真上に上昇させることによって係合凹部９と係合凸部８との凹凸係合を簡単に係脱させて撤去することができるので、メンテナス性に秀れる。
【００４９】
本実施例の止水用弾性材５は、ゴム製とする共に、図１に示すように前記散水路１の端部１Ａより径大な円形リング状に構成している。
【００５０】
また、この止水用弾性材５は、空気を注入することで膨張する断面角形のチューブ構造体とし、この止水用弾性材５を、前記位置決めプレート４により突き合せ状態で位置決め保持された消雪ブロック２の突き合せ面３間に前記各散水路１の端部１Ａを囲繞するようにして配設し、空気を注入して膨張させることでこの止水用弾性材５を各突き合せ面３に圧着せしめて、この止水用弾性材５により各散水路１の端部１Ａ間を止水状態とできる構成としている。
【００５１】
また、この止水用弾性材５は、突き合せ面３の前記収容凹部10に収容して仮止め状態としておくことができるように、この止水用弾性材５と収容凹部10の外径寸法を設定構成している。従って、これにより設置完了した一方の消雪ブロック２の収容凹部10に、引き続いて降下載置する他方の消雪ブロック２が設置完了するまで止水用弾性材５を仮止めしておくことができるので、施工作業を極めて容易に且つ効率良く行うことができる構成としている。
【００５２】
また、この止水用弾性材５は、空気注入用の注入部５Ａを備えた構成とし、一方の消雪ブロック２と他方の消雪ブロック２とを突き合せ状態に位置決めした後、注入部５Ａから空気を注入して止水用弾性材５を膨張させることができるように構成している。
【００５３】
具体的には、消雪ブロック２の突き合せ面３に前記収容凹部10と連設状態にして溝部14を設け、この溝部14に、止水用弾性材５の外周縁部から外方へ長く突設した注入部５Ａを収容して消雪ブロック２外へ露出させ、この溝部14を介して消雪ブロック２外に露出する注入部５Ａから空気を注入し得るように構成している。
【００５４】
また、本実施例では、空気の注入により膨張した止水用弾性材５を突き合せ面３に接着する構成としている。
【００５５】
具体的には、止水用弾性材５の両側面に予め接着剤13を塗布しておき、空気の注入によって止水用弾性材５が膨張すると、その両側面が突き合せ面３（収容凹部10）に圧接し、この圧接（密着）状態が接着剤13の硬化により維持されて、確実な止水性を発揮する構成としている。
【００５６】
次に、本実施例の施工手順を説明する。
【００５７】
設置場所の所定位置に位置決めプレート４を載置し、この位置決めプレート４の一側に一方の消雪ブロック２を載置して凹凸係合させてこの一方の消雪ブロック２の収容凹部10に止水用弾性材５を仮止め収容し、続いて、位置決めプレート４の他側に他方の消雪ブロック２を載置して凹凸係合させて双方の消雪ブロック２の突き合せ面３を突き合せ、この各突き合せ面３間に止水用弾性材５を配設する。
【００５８】
具体的には、例えば、道路などに設けた長溝（設置場所）内に、予め位置決めプレート４を敷いておき、この位置決めプレート４の一側の略正円形の係合凸部８に消雪ブロック２の一側の平断面略円形状の係合凹部９を凹凸係合させて消雪ブロック２を載置し、この消雪ブロック２の突き合せ面３の収容凹部10に、両側面に接着剤13を付したリング状の止水用弾性材５を仮止め収容する。
【００５９】
続いて、設置済の一方の消雪ブロック２に対して他方の消雪ブロック２を降下させつつ、位置決めプレート４の他側の長円形状の係合凸部８に他方の消雪ブロック２の端部の底部の他側の平断面長円形状の係合凹部９を係合させると、係合凸部８の案内面部６と係合凹部９のテーパ面とが係合することにより、一方の消雪ブロック２に対して他方の消雪ブロック２が接近するように誘導案内されながら降下し（図４参照。）、この他方の消雪ブロック２が接地すると、夫々の突き合せ面３同士が近接突き合せ状態となり、この状態で双方の消雪ブロック２が位置決め保持される（図５，図６参照。）。
【００６０】
続いて、止水用弾性材５に空気を注入し膨張させて両側面を各突き合せ面３の収容凹部10に圧着させると、接着剤13の硬化により密着固定して双方の消雪ブロック２の各散水路１が止水用弾性材５により密閉止水状態となって接続される。
【００６１】
この作業を繰り返して、所望の消雪設備を完成させる。
【００６２】
また、本実施例による消雪設備完成後に、劣化した消雪ブロック２を交換する必要性が生じた場合には、交換対象の消雪ブロック２だけをクレーンなどを利用して略真上に上昇移動させることで撤去することができるし、撤去したところに新しい消雪ブロック２を降下載置して止水用弾性材５と共に簡単に設置施工可能である。また、同様にして止水用弾性材５のみを交換することも容易に行われる。
【００６３】
図中符号11は、縦列状態の各消雪ブロック２の突き合せ面３間の隙間に配設した目地材である。
【００６４】
尚、本実施例では、複数の消雪ブロック２をストレートな縦列状態に連結した場合を示したが、止水用弾性材５の弾性変形を利用して消雪ブロック２同士をカーブ（屈曲）させて縦列状態に連結することもできるし、設置場所の起伏等に応じて上下方向に屈曲させて縦列状態に連結することもできる。また、止水用弾性材５が弾性変形することにより消雪ブロック２の据付位置の微調整も容易に可能である。
【００６５】
また、位置決めプレート４は、金属製に限らず、ゴム製や化学繊維製や樹脂製や他の素材製でも良い。また、位置決めプレート４の立ち上がり部４Ａの高さを更に高くすることで位置決め作用を向上させても良いし、立ち上がり部４Ａを有しない構成としても良い。また、位置決めプレート４の係合凸部８の形状は、円形や長円形に限らず、角形や他の形状でも良い。
【００６６】
また、止水用弾性材５は、ゴム製に限らず、スポンジ製やウレタン製や他の弾性変形可能な素材製でも良い。また、止水用弾性材５の形状は、円形リング状に限らず、矩形状や多角形状などでも良く、要は散水路１を囲繞する形状であれば良い。また、止水用弾性材５の断面形状も、角形に限らず、円形でも良い。また、止水用弾性材５は、チューブ構造体でなくとも良いし、突き合せ面３に対して接着しなくとも良い。
【実施例２】
【００６７】
本発明の具体的な実施例２について図８に基づいて説明する。
【００６８】
本実施例は、前記実施例１において、消雪ブロック２の突き合せ面３の収容凹部10に、止水用弾性材５を位置決めするための補助金具12を設けた場合である。
【００６９】
具体的には、補助金具12は、円形リング状の止水用弾性材５の内径よりやや径小な円形リング状の金具で構成し、このリング状の補助金具12を散水路１の中心と同心位置に配して収容凹部10より突設状態に付設している。
【００７０】
従って、この円形リング状に突設する補助金具12に、空気注入前の止水用弾性材５を掛止るようにして収容凹部10に収容できる構成とし、これにより収容凹部10での止水用弾性材５の仮止め状態が一層安定的となるようにしている。
【００７１】
他の構成は、前記実施例１と同様である。
【実施例３】
【００７２】
本発明の具体的な実施例３について図９，図１０に基づいて説明する。
【００７３】
本実施例は、前記実施例１において、前記止水用弾性材５の形状を異ならせることで、図９に示すように消雪ブロック２をカーブした縦列状態に連結した場合を示している。
【００７４】
具体的には、本実施例の止水用弾性材５は、図１０に示すように、側面部をテーパ面形状に形成して、このテーパ状側面に消雪ブロック２の突き合せ面３を斜めから付き合わせて連結することで消雪ブロック２同士をカーブした縦列状態に据付している。尚、図１０では注入部５Ａを省略している。
【００７５】
また、本実施例では、詳しく図示していないが、消雪ブロック２の各突き合せ面３に散水路１の中心（軸心）と同心円形状の凹溝を形成し、この凹溝を止水用弾性材５を収納するための収容凹部10とした場合を示している。尚、この構成は、後述する実施例４，５についても同様である。
【００７６】
他の構成は、前記実施例１と同様である。
【実施例４】
【００７７】
本発明の具体的な実施例４について図１１に基づいて説明する。
【００７８】
本実施例も、消雪ブロック２をカーブした縦列状態に連結した場合を示している。
【００７９】
具体的には、本実施例では、一方の消雪ブロック２の収容凹部10に止水用弾性材５よりも軟質なクッション材15を収容し、このクッション材15を介して収容凹部10に止水用弾性材５を収容した構成として、クッション材15の弾性変形により一方の消雪ブロック２に対し他方の消雪ブロック２をカーブした縦列状態に据付している。
【００８０】
また、本実施例の止水用弾性材５は、断面円形のものを採用した場合を示している。
【００８１】
他の構成は、前記実施例１と同様である。
【実施例５】
【００８２】
本発明の具体的な実施例５について図１２に基づいて説明する。
【００８３】
本実施例も、消雪ブロック２をカーブした縦列状態に連結した場合を示している。
【００８４】
具体的には、前記実施例４において、クッション材15の止水用弾性材５に接する側の側面部をテーパ面形状に形成している。
【００８５】
従って、これによりクッション材15のテーパ状側面に止水用弾性材５を当接させると止水用弾性材５が突き合せ面３に対し斜設状態となるので、この止水用弾性材５に消雪ブロック２の突き合せ面３を斜めから突き合せて連結して、消雪ブロック２同士をカーブした縦列状態に据付している。
【００８６】
他の構成は、前記実施例１と同様である。
【実施例６】
【００８７】
本発明の具体的な実施例６について図１３に基づいて説明する。
【００８８】
本実施例は、前記実施例１において、前記収容凹部10の形状を異ならせることで、消雪ブロック２をカーブした縦列状態に連結した場合を示している。
【００８９】
具体的には、本実施例では、消雪ブロック２の各突き合せ面３に散水路１の中心（軸心）と同心円形状の凹溝を形成してこの凹溝を収容凹部10とすると共に、図１３に示すようにこの収容凹部10の溝底をテーパ面形状に形成している。
【００９０】
従って、このテーパ状の収容凹部10に収容した止水用弾性材５を介して消雪ブロック２を連結することにより、消雪ブロック２同士をカーブした縦列状態で据付している。
【００９１】
他の構成は、前記実施例１と同様である。
【実施例７】
【００９２】
本発明の具体的な実施例７について図１４に基づいて説明する。
【００９３】
本実施例は、前記実施例１において、位置決めプレート４による消雪ブロックの位置決め構造を改良した場合である。
【００９４】
具体的には、位置決めプレート４上に消雪ブロック２を載置した際、前記各立ち上がり部４Ａを介してこの各立ち上がり部４Ａの外側から貫通させた固定用ボルト16を消雪ブロック２の下部両側部に止着固定することで、位置決めプレート４に対し消雪ブロック２をより強固に位置決め固定した場合を示している。
【００９５】
他の構成は、前記実施例１と同様である。
【実施例８】
【００９６】
本発明の具体的な実施例８について図１５に基づいて説明する。
【００９７】
本実施例は、前記実施例１において、位置決めプレート４に設ける係合凸部８の位置を移動可能に構成した場合を示している。
【００９８】
具体的には、位置決めプレート４に取付孔４Ｂを貫通形成し、この貫通孔４Ｂにこの貫通孔４Ｂより径小な取付ネジ17を下方から挿通してこの取付ネジ17の先端に前記係合凸部８を螺着した構成としている。
【００９９】
従って、この取付ネジ17を緩めることにより貫通孔４Ｂに取付ネジ17が許容される範囲内で係合凸部８の位置を移動可能で、再び取付ネジ17を締付することにより係合凸部８を位置決めできる構成としている。
【０１００】
この係合凸部８の位置を移動させることにより、消雪ブロック２のカーブ施工等に対応できる構成としている。
【０１０１】
他の構成は、前記実施例１と同様である。
【０１０２】
尚、本発明は、実施例１〜８に限られるものではなく、各構成要件の具体的構成は適宜設計し得るものである。
【図面の簡単な説明】
【０１０３】
【図１】実施例１の消雪ブロックと位置決めプレートと止水用弾性材を示す分解斜視図である。
【図２】実施例１の設置完了状態を示す説明斜視図である。
【図３】実施例１の消雪ブロックを示す側面図である。
【図４】実施例１の、一方の消雪ブロックに対し他方の消雪ブロックを降下載置しようとする途中の状態を示す説明側断面図である。
【図５】実施例１の設置完了状態を示す説明側断面図である。
【図６】実施例１の設置完了状態を示す説明平断面図である。
【図７】実施例１の止水構造を示す部分拡大説明側断面図である。
【図８】実施例２の設置完了状態を示す説明側断面図である。
【図９】実施例３の設置完了状態を示す目地材を省略した説明平断面図である。
【図１０】実施例３の止水用弾性材を示す部分拡大説明斜視図である。
【図１１】実施例４の設置完了状態を示す目地材を省略した説明平断面図である。
【図１２】実施例５の設置完了状態を示す目地材を省略した説明平断面図である。
【図１３】実施例６の設置完了状態を示す目地材を省略した説明平断面図である。
【図１４】実施例７の設置完了状態を示す説明正断面図である。
【図１５】実施例８の、位置決めプレートに対する係合凸部の位置変更可能な取付構造を示す部分拡大説明断面図である。
【図１６】従来例１の連結構造を示す説明図である。
【図１７】従来例２の連結構造を示す説明図である。
【符号の説明】
【０１０４】
１  散水路
１Ａ  端部
２  消雪ブロック
３  突き合せ面
４  位置決めプレート
４Ａ  立ち上がり部
５  止水用弾性材
６  案内面部
【図１】
2009270331.tif 000003
【図２】
2009270331.tif 000004
【図３】
2009270331.tif 000005
【図４】
2009270331.tif 000006
【図５】
2009270331.tif 000007
【図６】
2009270331.tif 000008
【図７】
2009270331.tif 000009
【図８】
2009270331.tif 000010
【図９】
2009270331.tif 000011
【図１０】
2009270331.tif 000012
【図１１】
2009270331.tif 000013
【図１２】
2009270331.tif 000014
【図１３】
2009270331.tif 000015
【図１４】
2009270331.tif 000016
【図１５】
2009270331.tif 000017
【図１６】
2009270331.tif 000018
【図１７】
2009270331.tif 000019